【手続補正書】
【提出日】平成30年3月9日(2018.3.9)
【手続補正１】
【補正対象書類名】特許請求の範囲
【補正対象項目名】全文
【補正方法】変更
【補正の内容】
【特許請求の範囲】
【請求項１】
電動車両内のワイヤレス充電デバイスを動作させる方法であって、前記ワイヤレス充電デバイスは送信機によって発生させられたワイヤレス場を介して電力をワイヤレスに受信するように構成され、
前記電動車両または前記送信機内のワイヤレス充電デバイスにおける1つまたは複数の障害を指示するシステム障害を検出するステップと、
検出された前記システム障害のタイプに基づき複数の障害重大度レベルのうちから障害重大度レベルに、前記検出されたシステム障害をマッピングするステップであって、前記複数の障害重大度レベルは最低重大度レベルから最高重大度レベルまで重大度が徐々に高くなり、システム障害のタイプの総数は、前記複数の障害重大度レベルの総数よりも多い、ステップと、
前記決定された障害重大度レベルに基づき1つまたは複数のシステム障害対応動作を実行するステップであって、前記複数の障害重大度レベルの各々は、異なる一組のシステム障害対応動作に関連付けられる、ステップと、
前記複数の障害重大度レベルのうち少なくとも1つの障害セキュリティレベルに関するユーザ通知を提供することなく、前記検出されたシステム障害から回復するステップと、
を含む方法。
【請求項２】
1つまたは複数のシステム障害対応動作を実行する前記ステップは、
第1の障害重大度レベルが決定されるときに、ユーザインターフェースを介して通知を出し、前記障害重大度レベルをクリアするステップと、
第2の障害重大度レベルが決定されるときに、前記通知を出さずに前記障害重大度レベルをクリアするステップと、
第3の障害重大度レベルが決定されるときに、前記通知を出し、前記ユーザインターフェースを介して入力を受信し、前記入力に応答して前記障害重大度レベルをクリアするステップと、
第4の障害重大度レベルが決定されるときに、前記通知を出し、前記障害重大度レベルをクリアするのを止めるステップとを含む請求項1に記載の方法。
【請求項３】
少なくとも1つのシステム障害対応動作は、前記システム障害を無視するステップを含む請求項1に記載の方法。
【請求項４】
充電または整列は、第1の一組の重大度レベルに応答して中断され、充電は、前記第1の一組の重大度レベルと異なる、第2の一組の重大度レベルに応答して継続する請求項1に記載の方法。
【請求項５】
前記システム障害は、生物検出、異物検出、またはハードウェア障害のうちの少なくとも1つを含む請求項1に記載の方法。
【請求項６】
前記システム障害に応答して充電モードを停止することをワイヤレス電力コントローラに命令するステップと、
少なくとも最初のホールド時間の間に1つまたは複数のその後のシステム障害を無視するステップとをさらに含む請求項1に記載の方法。
【請求項７】
前記第1のホールド時間の終了後の第1のスキャン時間にシステム障害が検出されないときに前記充電モードを再開することを前記ワイヤレス電力コントローラに命令するステップをさらに含む請求項6に記載の方法。
【請求項８】
電動車両内のワイヤレス電力充電デバイスであって、
送信機によって発生させられたワイヤレス場を介して電力をワイヤレスに受信するように構成されている受信機と、
前記電動車両内または前記送信機内の前記ワイヤレス充電デバイスにおける1つまたは複数の障害を指示するシステム障害に、前記検出されたシステム障害をマッピングし、
検出された前記システム障害のタイプに基づき複数の障害重大度レベルのうちから障害重大度レベルを決定し、
前記決定された障害重大度レベルに基づき1つまたは複数のシステム障害対応動作を実行し、
前記複数の障害重大度レベルのうち少なくとも1つの障害セキュリティレベルに関するユーザ通知を提供することなく、前記検出されたシステム障害から回復する
ように構成されているプロセッサであって、前記複数の障害重大度レベルは最低重大度レベルから最高重大度レベルまで重大度が徐々に高くなり、システム障害のタイプの総数は、前記複数の障害重大度レベルの総数よりも多く、前記複数の障害重大度レベルの各々は、異なる一組のシステム障害対応動作に関連付けられる、プロセッサと、
を備えるワイヤレス電力充電デバイス。
【請求項９】
通知を選択的に出すように構成されているユーザインターフェースをさらに備え、前記プロセッサは、1つまたは複数のシステム障害対応動作を、
第1の障害重大度レベルが決定されるときに、前記ユーザインターフェースを介して通知を出し、前記障害重大度レベルをクリアするステップと、
第2の障害重大度レベルが決定されるときに、前記通知を出さずに前記障害重大度レベルをクリアするステップと、
第3の障害重大度レベルが決定されるときに、前記通知を出し、前記ユーザインターフェースを介して入力を受信し、前記入力に応答して前記障害重大度レベルをクリアするステップと、
第4の障害重大度レベルが決定されるときに、前記通知を出し、前記障害重大度レベルをクリアするのを止めるステップとによって実行するように構成される請求項8に記載のデバイス。
【請求項１０】
少なくとも1つのシステム障害対応動作は、前記システム障害を無視するステップを含む請求項8に記載のデバイス。
【請求項１１】
前記デバイスは、第1の一組の重大度レベルに応答して充電または整列のために中断され、前記デバイスは、前記第1の一組の重大度レベルと異なる、第2の一組の重大度レベルに応答して充電を継続する請求項8に記載のデバイス。
【請求項１２】
前記システム障害は、
生物検出、異物検出、またはハードウェア障害のうちの少なくとも1つを含む請求項8に記載のデバイス。
【請求項１３】
前記プロセッサは、
前記システム障害に応答して充電モードを停止することをワイヤレス電力コントローラに命令し、
少なくとも最初のホールド時間の間に1つまたは複数のその後のシステム障害を無視するようにさらに構成される請求項8に記載のデバイス。
【請求項１４】
前記プロセッサは、前記最初のホールド時間の終了後の最初のスキャン時間にシステム障害が検出されないときに前記充電モードを再開することを前記ワイヤレス電力コントローラに命令するようにさらに構成される請求項13に記載のデバイス。
【請求項１５】
実行されると、電動車両内のワイヤレス充電デバイスを動作させるための装置に、
送信機によって発生させられたワイヤレス場を介して前記電動車両において電力をワイヤレスに受信するステップと、
前記電動車両内または前記送信機内の前記ワイヤレス充電デバイスにおける1つまたは複数の障害を指示するシステム障害に、前記検出されたシステム障害をマッピングするステップと、
検出された前記システム障害のタイプに基づき複数の障害重大度レベルのうちから障害重大度レベルを決定するステップであって、前記複数の障害重大度レベルは最低重大度レベルから最高重大度レベルまで重大度が徐々に高くなり、システム障害のタイプの総数は、前記複数の障害重大度レベルの総数よりも多い、ステップと、
前記決定された障害重大度レベルに基づき1つまたは複数のシステム障害対応動作を実行するステップであって、前記複数の障害重大度レベルの各々は、異なる一組のシステム障害対応動作に関連付けられる、ステップと、
前記複数の障害重大度レベルのうち少なくとも1つの障害セキュリティレベルに関するユーザ通知を提供することなく、前記検出されたシステム障害から回復するステップと、
を実行させるコードを格納する非一時的コンピュータ可読記憶媒体。